(57)【要約】【課題】折畳まれた状態で機器全体の厚みが厚く見えないようにしつつ、第２の筺体の先端と第１の筺体の先端との間に生じる隙間を小さくすることのできる折畳み機器を実現する。【解決手段】第１の筐体２の表面７を、面７ａ、傾斜面７ｂ、および平面７ｃで構成し、凹曲面とする。第２の筐体４の表面８を、平面８ａおよび傾斜面８ｂから構成し、凸曲面とする。携帯電話機１を折畳んだ状態で、対峙する第１の筐体２の凹曲面と第２の筐体４の凸曲面とを噛み合わせる。【選択図】図１
2006005671.tif 000002
【特許請求の範囲】
【請求項１】
第１の筐体と第２の筐体とがヒンジ部の周りの回動により折畳み可能に構成される折畳み機器において、
折畳まれた状態で前記第１の筐体と前記第２の筐体との対峙する両面のうち、前記第１の筐体の面が凹曲面、前記第２の筐体の面が凸曲面であって、互いに噛み合うことを特徴とする折畳み機器。
【請求項２】
前記第２の筐体の表裏を反転して折畳むことが可能であり、前記第２の筐体の表裏が反転して折畳まれた状態で、前記第２の筐体の前記第１の筐体と対峙する面が凸曲面であって、前記第１の筐体の前記凹曲面に噛み合うことを特徴とする折畳み機器。
【請求項３】
前記第１の筐体の前記凹曲面上には、折畳まれた状態で前記第２の筐体と対峙するボタンが備えられており、前記凹曲面上のどこにおいても前記ボタンの上面の垂直下方の前記凹曲面に対する垂直方向高さが略同一であることを特徴とする請求項１または２に記載の折畳み機器。
【請求項４】
折畳まれた状態で、前記第２の筐体の前記第１の筐体に対峙する前記凸曲面の一部が前記第１の筐体の前記凹曲面の窪みに沈みこむことを特徴とする請求項１ないし３のいずれかに記載の折畳み機器。
【発明の詳細な説明】
【技術分野】
【０００１】
本発明は、折畳み可能な携帯電話機などの折畳み機器に関するものである。
【背景技術】
【０００２】
従来、ヒンジを介して２つの筐体が開閉自在に連結された折り畳み型の携帯電話機が広く普及している。このタイプの携帯電話機では、一般的に、一方の筐体に表示部、カメラやレシーバなどが設けられ、他方の筐体には、操作ボタンやマイクなどが設けられている。近年、折畳み式携帯電話機がますます普及し、ヒンジ部においては互いに独立して回転する２つの回転軸を備えた折り畳み型の携帯電話機が出現し始めている。例えば、特許文献１、特許文献２、特許文献３がある。
【０００３】
特許文献１によれば、両筺体を折畳むための第１の回転軸と、第１の回転軸と直交して設けられた第２回転軸とを備え、第２回転軸を中心に上筐体を１８０度反転して折畳むと、画像表示部が視認可能になり、受信待機状態で開閉動作なしに画面を見ることができる。また、ゲーム等がスペースをとらずにできることを述べている。
【０００４】
また、特許文献２によれば、操作部を設けた本体部と、ディスプレイ部を設けた重合部とを操作をしないときには操作部を覆うように重合可能に連結した電子機器において、重合部を起伏回動自在に設け、回動軸部と略直交する自転回動部を軸に１８０度自転回動自在に設けて重合部を反転することが可能になるよう２軸を備えることにより、ディスプレイ部を隠蔽したり、上側に露出したりすることが可能であると述べている。
【０００５】
また、特許文献３によれば、液晶モニタを備えた液晶モニタ部と、操作ボタンを備えた操作部とをヒンジ部で回動可能とし、該ヒンジ部と液晶モニタ部の間に０度から３６０度回動可能に回転板を設け、更にヒンジ部の中心軸上には撮影レンズと複数枚のズームレンズとを備えている。これにより液晶モニタ部を時計回りに９０度回転して自画像を撮影したり、また、液晶モニタ部を反時計回りに９０度回転して他人を撮影したりすることができると述べている。
【０００６】
また、これらの特許文献では、上記のような両筺体を折畳むための第１の回転軸と、第１の回転軸と直交して設けられた第２回転軸とを備え、第２回転軸を中心に上筐体を１８０度反転して折畳む構成が開示されている。
【特許文献１】特開２００２−１１８６３３号公報（公開日：２００２年４月１９日）
【特許文献２】特開２００３−２３９９４３号公報（公開日：２００３年８月２７日）
【特許文献３】特開２００３−３０９７５６号公報（公開日：２００３年１０月３１日）
【発明の開示】
【発明が解決しようとする課題】
【０００７】
近年、折畳み式携帯電話機は、カメラが搭載され、カメラ部周辺の肉厚が厚くなってしまうため、折畳んだときできるだけ薄く見えるように、表示部と受話部とを備える筺体（以下、第２の筐体と称する。また、操作ボタンやマイクを備える筐体を第１の筐体と称する。）がヒンジ部根元から他端側になるほど薄くなるようにして、根元から先端に至るまでの形状も曲線にして全体的に薄く見えるように工夫して設計されている。
【０００８】
上記のような折畳み式携帯電話機において、第２の筺体を閉じたとき、図８に示すように第２の筺体１０２の先細り先端部と第１の筺体１０１の平坦な先端部との間に隙間Ａが発生し見栄えが悪くなってしまうという問題がある。この隙間Ａは図８に示すものだけではなく、図８の紙面に平行に延びる２つの端辺部でも発生する。すなわち、隙間Ａは、第１の筐体１０１と第２の筐体１０２とが対峙する領域の、ヒンジ部１０３側を除く３端辺部の全てで発生する。隙間Ａが発生すると、そこに埃がたまりやすくなるという問題もある。図８は主表示部１０２ａが内側を向くように折畳んだ状態で隙間Ａが発生していることを示しているが、主表示部１０２ａが外側を向くように第２の筐体１０２を表裏反転させて折畳んだ状態でも、第２の筐体１０２の先端が筐体の厚み中心を通る面に対して略対象に先細りしているために、上記隙間Ａが発生する。
【０００９】
本発明は上記の問題に鑑み、折畳まれた状態で機器全体の厚みが厚く見えないようにしつつ、第２の筺体の先端と第１の筺体の先端との間に生じる隙間を小さくして、見栄えがよく、埃のたまりにくい折畳み機器を実現することを目的とする。
【課題を解決するための手段】
【００１０】
本発明の折畳み機器は、上記課題を解決するために、第１の筐体と第２の筐体とがヒンジ部の周りの回動により折畳み可能に構成される折畳み機器において、折畳まれた状態で前記第１の筐体と前記第２の筐体との対峙する両面のうち、前記第１の筐体の面が凹曲面、前記第２の筐体の面が凸曲面であって、互いに噛み合うことを特徴としている。
【００１１】
上記の発明によれば、折畳まれた状態で第１の筐体の凹曲面と第２の筐体の凸曲面とが噛み合うので、第１の筐体と第２の筐体との間の隙間を小さくすることができる。また、第２の筐体の前記凸曲面と反対側の面にも凸曲面を設ければ、これらの凸曲面は、折畳まれた状態で機器全体の厚みを小さく見せる。この結果、折畳まれた状態で機器全体の厚みが厚く見えないようにしつつ、見栄えがよく、埃のたまりにくい折畳み機器を実現することができるという効果を奏する。
【００１２】
本発明の折畳み機器は、上記課題を解決するために、前記第２の筐体の表裏を反転して折畳むことが可能であり、前記第２の筐体の表裏が反転して折畳まれた状態で、前記第２の筐体の前記第１の筐体と対峙する面が凸曲面であって、前記第１の筐体の前記凹曲面に噛み合うことを特徴としている。
【００１３】
上記の発明によれば、第２の筐体を表裏反転して折畳むことができる場合に、表裏反転して折畳まれた状態でも隙間を小さくすることができるという効果を奏する。
【００１４】
本発明の折畳み機器は、上記課題を解決するために、前記第１の筐体の前記凹曲面上には、折畳まれた状態で前記第２の筐体と対峙するボタンが備えられており、前記凹曲面上のどこにおいても前記ボタンの上面の垂直下方の前記凹曲面に対する垂直方向高さが略同一であることを特徴としている。
【００１５】
上記の発明によれば、第１の筐体が凹曲面となっていてその上のどこにボタンが備えられていても、ボタンの上面の垂直下方の凹曲面に対する垂直方向高さが略同一であるので、第１の筐体と第２の筐体との間隙を設定しやすいとともに、ボタンが凹曲面に埋もれずに押しやすいという効果を奏する。
【００１６】
本発明の折畳み機器は、上記課題を解決するために、折畳まれた状態で、前記第２の筐体の前記第１の筐体に対峙する前記凸曲面の一部が前記第１の筐体の前記凹曲面の窪みに沈みこむことを特徴としている。
【００１７】
上記の発明によれば、第２の筐体の凸曲面の一部が第１の筐体の凹曲面の窪みに沈み込むので、凸曲面の凸先端側が凹曲面中に隠れて見えなくなるという効果を奏する。
【発明の効果】
【００１８】
本発明の折畳み機器は、以上のように、折畳まれた状態で前記第１の筐体と前記第２の筐体との対峙する両面のうち、前記第１の筐体の面が凹曲面、前記第２の筐体の面が凸曲面であって、互いに噛み合う。
【００１９】
それゆえ、折畳まれた状態で機器全体の厚みが厚く見えないようにしつつ、見栄えがよく、埃のたまりにくい折畳み機器を実現することができるという効果を奏する。
【発明を実施するための最良の形態】
【００２０】
本発明の実施の形態について、図１ないし図７を参照して説明する。
【００２１】
図１は、本発明の実施の形態における折畳み機器としての携帯電話機１の、開いた状態を示す斜視図である。図２は、図１中の携帯電話機１の閉じた（折畳まれた）状態を示す斜視図である。図３は、図２中の矢印Ｋから見た携帯電話機１を示す斜視図である。携帯電話機１は、カメラ機能を有する折り畳み型の携帯電話機であり、備える２つの筐体のうちの一方を表裏反転させることができるタイプの携帯電話機である。
【００２２】
携帯電話機１は、図１に示すように、第１の筐体２と、回動軸５を中心として第１の筐体２に対して回動自在となるように第１の筐体２に連結されたヒンジ部３と、回転軸６を中心としてヒンジ部３に対して回転自在に連結された第２の筐体４とから構成されている。これら第１および第２の筐体２，４やヒンジ部３は、ＡＢＳ(Acrylonitrile Butadiene Styrene resin)やＰＣ−ＡＢＳ(Polycarbonate - Acrylonitrile Butadiene Styrene resin)等のプラスチック樹脂を材料として構成されている。
【００２３】
以下では、第１の筺体２の操作面を第１の筺体２の表面（おもてめん）７とする。第１の筐体２においてヒンジ部３が設けられている側の一端辺部Ｅ１とそれに対向する他端辺部Ｅ２とを結ぶ方向を縦方向Ｌ１とし、上記両端辺部Ｅ１・Ｅ２と直交する側の左右両端辺部Ｅ３・Ｅ４どうしを結ぶ方向を横方向Ｔ１とする。
【００２４】
ヒンジ部３は表面７の端辺部Ｅ１側に連結されており、回動軸５は横方向Ｔ１に平行である。また、回転軸６はヒンジ部３の長手方向である横方向Ｔ１の中央の位置で回動軸５に直交している。ヒンジ部３および第２の筐体４を回動軸５を中心に角変位自在に動かすことによって、携帯電話機１の形状は、図１に示す開いた状態と図２および図３に示す閉じた状態との間で変化する。
【００２５】
第１の筺体２の表面７には、数字および文字を入力するためのキーなどから構成される入力ボタン群９と、携帯電話機１における各種設定／機能切替を行うための機能ボタン群１０とが設けられている。これら入力ボタン群９や機能ボタン群１０のキートップ部は、ＡＢＳやＰＣ−ＡＢＳ等のプラスチック樹脂を材料として構成されており、さらに機能ボタン群１０のキートップ部には、クロームメッキ等のメッキ加工が施されている。なお、これら入力ボタン群９および機能ボタン群１０は、携帯電話機１の開閉操作および携帯電話機１を閉じた状態での機器への押圧によってキー操作されないように配置されている。具体的には、携帯電話機１が閉じた状態で、第１の筐体２と第２の筐体４との間のうちキーを挟む部分には、両筐体によってキーが押されないように、図５、６に示す間隙Ｔが設けられるよう設計されている。
【００２６】
また、第１の筺体２の表面７は、周囲数ｍｍの幅の面７ａと、傾斜面７ｂと、入力ボタン群９や機能ボタン群１０が設けられる底面７ｃとからなる。底面７ｃは平面であって表面７の大部分を占めている。傾斜面７ｂは底面７ｃのヒンジ部３側を除く外周に繋がっていて、該外周から表面７の外側周辺へ向かうにつれて高さが増大する面であり、入力ボタン群９や機能ボタン群１０の、表面７上で横方向Ｔ１の両端側に位置する部分がこの面７ｂ上に配置されている。入力ボタン群９や機能ボタン群１０の、表面７上で縦方向Ｌ１の両端側に位置する部分が面７ｂ上に配置されていてもよい。また、端辺部Ｅ２側の傾斜面７ｂ上にはマイク１１ａが設けられている。面７ａは傾斜面７ｂの外周からさらに外側周辺へ向かって連なる、表面７の最も高い位置にある面である。図６は、携帯電話機１を折畳んだ状態で縦方向Ｌ１に沿って、表面７の端辺部Ｅ２側から端辺部Ｅ１側に向かって見た図であるが、この図に示すように、面７ａから見て、面７ｂと面７ｃとで形成される面は窪み深さＢで凹状態に窪んでいる。表面７はこのように、面７ａ、７ｂおよび底面７ｃからなる凹曲面をなしている。また、図１に、表面７の縦方向Ｌ１に沿って起伏を表す線を符号Ｂで代用して線Ｂ−Ｂとして示してある。
【００２７】
また、入力ボタン群９や機能ボタン群１０の、底面７ｃ上に設けられている部分のボタン上面は底面７ｃに平行であり、面７ｂ上に設けられている部分のボタン上面は面７ｂに平行である。そして、底面７ｃ上にある部分のボタン上面の、底面７ｃからの垂直方向高さと、面７ｂ上に設けられている部分の、ボタン上面の面７ｂからの垂直方向高さとは等しい。すなわち、ボタン上面は、その垂直下方の面が面７ｂであっても平面７ｃであっても、その垂直下方の面に平行である。従って、ボタン上面は、面７ｂ上では面７ｂに平行となるように平面７ｃに対して傾斜している。
【００２８】
また、図３に示すように第１の筐体２の表面７と反対側の面の端辺部Ｅ１寄りの領域には、カメラ部２３を構成する撮影レンズ１８およびフラッシュ１９や、第２のスピーカ孔２１などが設けられている。
【００２９】
次に、第２の筐体４は、一方の面に、液晶ディスプレイやＥＬ(electro luminescent)ディスプレイなどによって構成された主表示部である第１の表示部１４を備えている。第１の表示部１４は、表示ドライバ部を介して与えられる画像データに基づいて画像を表示する。携帯電話機１では、第２の筐体４を回転軸６を中心として１８０度回転した状態とすれば、第２の筐体４の表裏を反転して、すなわち第１の表示部１４を外側にして折畳むことができる。
【００３０】
以下では、第２の筐体４の第１の表示部１４を備えている面を第２の筐体４の表面（おもてめん）８とする。第２の筐体４においてヒンジ部３に連結されている側の一端辺部Ｆ１とそれに対向する他端辺部Ｆ２とを結ぶ方向を縦方向Ｌ２とし、上記両端辺部Ｆ１・Ｆ２と直交する側の左右両端辺部Ｆ３・Ｆ４どうしを結ぶ方向を横方向Ｔ２とする。
【００３１】
表面８の端辺部Ｆ２に近い箇所には、通話等に用いるレシーバのレシーバ孔１５が穿設されている。また、表面８の四隅には、第１の表示部１４を外側にして携帯電話機１を閉じたときに用いる操作ボタン群１６が設けられている。
【００３２】
表面８は平面８ａと傾斜面８ｂとからなる。平面８ａは第１の表示部１４とその周辺とを含む面である。傾斜面８ｂは平面８ａの外周と繋がり、ヒンジ部３近傍を除く３端辺部Ｆ２、Ｆ３、Ｆ４の周辺において平面８ａの外周から外側へ向かうにつれて高さが減少する面である。前記レシーバ孔１５および操作ボタン群１６は傾斜面８ｂ上に設けられている。
【００３３】
次に、図２に示すように、第２の筐体４の表面８と反対側の面を面８０とする。面８０は平面８０ａと傾斜面８０ｂとからなる。平面８０ａは面８０の大部分を占める面であり、第２の表示部１４ｂが設けられている。傾斜面８０ｂは、平面８０ａの外周にヒンジ部３近傍を除く３端辺部Ｆ２、Ｆ３、Ｆ４側で繋がっており、平面８０ａの外周から外側へ向かうにつれて高さが減少する面である。
【００３４】
図７は、携帯電話機１を開いた状態で側面から見た図であるが、前記表面８および面８０を設けたことにより、第２の筐体４の端辺部Ｆ２側で、平面８ａと傾斜面８ｂとの高さの最大差ｔ１、平面８０ａと面８０ｂとの高さの最大差ｔ２が生じる。この最大差ｔ１、ｔ２は他の２端辺部Ｆ３、Ｆ４側でも同様に生じる。また、傾斜面８ｂと傾斜面８０ｂとは、表面８と面８０とのそれぞれで形成される第２の筐体４の外形を３端辺部Ｆ２、Ｆ３、Ｆ４側で凸状態とするように傾斜している。このように、表面８と面８０とはそれぞれ凸曲面を構成している。これらの凸曲面は、携帯電話機１を閉じた状態において、前述した第１の筐体２の表面７としての凹曲面と、対峙する面の輪郭の形状が一致しており、前述の微小な間隙Ｔ（図６）を残して噛み合うようになっている。前述したように、第１の筐体２が凹曲面となっていてその上のどこにボタンが備えられていても、ボタンの上面の垂直下方の凹曲面に対する垂直方向高さが略同一であるので、第１の筐体２と第２の筐体４との上記間隙Ｔを設定しやすいとともに、ボタンが凹曲面に埋もれずに押しやすい。また、これらのボタン上面は、携帯電話機１が折畳まれた状態で、間隙Ｔからボタンの上記高さを差し引いた一様な間隙を置いて第２の筐体４に対峙する。
【００３５】
図１に、表面８の縦方向Ｌ２に沿った起伏を表す線Ｃ−Ｃを示す。また、図２に、表面８０の縦方向Ｌ２に沿った起伏を表す線Ｄ−Ｄを示す。なお、第２の筐体が表裏反転しない携帯電話機の場合には、第２の表示部を備える面に設けられる凸曲面は、機器の厚みを小さく見せることができさえすればよいので、上記凹曲面に対して輪郭の形状が一致していなくてもよい。
【００３６】
表面８に傾斜面８ｂを設け、面８０に傾斜面８０ｂを設けるのは、携帯電話機１を側面から見て製品を薄く見せるための方法である。しかしながら、第１の筺体の入力ボタン群や機能ボタン群を有する面が平面である従来の携帯電話機にこの周辺の傾斜面８ｂ、８０ｂを設けると、第２の筐体の主表示部を露出して閉じたときも、閉塞して閉じたときも、上記３端辺部Ｆ２、Ｆ３、Ｆ４に相当する端辺部の周辺が第１の筐体から浮いた状態になって、図８に示すような大きな隙間Ａが発生し、見栄えが悪くなってしまうとともに埃がたまりやすくなる。
【００３７】
そこで本実施の形態では、第１の筐体２の表面７を前述のように凹曲面として、携帯電話機１を第１の表示部１４を内側にして閉じた状態では第２の筐体４の表面８の一部分が表面７に重なって窪み深さＢに沈み込むようにし、携帯電話機１を第１の表示部１４を外側にして閉じた状態では第２の筐体４の面８０の一部分が表面７に重なって窪み深さＢに沈み込むようにしている。平面８ａは窪みに完全に沈み込み、傾斜面８ｂは平面８ａ寄りの一部が窪みに沈み込む。これにより、第２の筐体４の凸曲面の凸先端側（平面８ａ側）が凹曲面中に隠れて見えなくなる。従って、図５や図６に示すように、第２の筐体４の３端辺部Ｆ２、Ｆ３、Ｆ４側で前述の隙間Ａは発生せず、第２の筐体４が第１の筐体２から浮き上がって見えることがない。図２では第１の筐体２の表面７と第２の筐体４の表面８とが噛み合うため隙間Ａが生じない。図４は、携帯電話機１を、第１の表示部１４を外側にして折畳んだ状態としたときの斜視図であり、第１の筐体２の表面７と第２の筐体４の面８０とが噛み合うため隙間Ａが生じない。
【００３８】
第２の筐体４の凸曲面は第２の筐体４の端辺部Ｆ２、Ｆ３、Ｆ４を先細りにする形状であるので、第２の筐体４自身の厚みも機器全体の厚みが厚く見えないようにすることができる。携帯電話機１を開いたとき第２の筺体４自体が薄く見えるとともに、携帯電話機１を第１の表示部１４が露出するように閉じたときも、閉塞するように閉じたときも第２の筺体４が第１の筺体２の凹曲面内に厚み方向に沈んで更に薄く見える。
【００３９】
このように本実施の形態によれば、折畳んだ状態で機器全体の厚みが厚く見えないようにしつつ、隙間を生じないようにして、見栄えがよく、埃がたまりにくい折畳み機器を実現することができる。
【００４０】
本発明は上述した構成に限定されるものではなく、請求項に示した範囲で種々の変更が可能であり、それを実施する形態についても本発明の技術的範囲に含まれる。
【産業上の利用可能性】
【００４１】
本発明は、折畳み可能な機器一般に適用できる。
【図面の簡単な説明】
【００４２】
【図１】本発明の実施形態を示すものであり、携帯電話機の開いた状態での要部構成を示す斜視図である。
【図２】図１の携帯電話機の折畳まれた状態を第１の方向から示す斜視図である。
【図３】図１の携帯電話機の折畳まれた状態を第２の方向から示す斜視図である。
【図４】図１の携帯電話機の第２の筐体を表裏反転させて折畳んだ状態を示す斜視図である。
【図５】図２の状態の携帯電話機を第１の側面から見た側面図である。
【図６】図２の状態の携帯電話機を第２の側面から見た側面図である。
【図７】図１の状態の携帯電話機を側面から見た図である。
【図８】従来技術を示すものであり、折畳まれた状態の携帯電話機を示す側面図である。
【符号の説明】
【００４３】
１        携帯電話機（折畳み機器）
２        第１の筐体
４        第２の筐体
７        表面（凹曲面）
８        表面（凸曲面）
９        入力ボタン群（ボタン）
１０        機能ボタン群（ボタン）
８０        面（凸曲面）
【図１】
2006005671.tif 000003
【図２】
2006005671.tif 000004
【図３】
2006005671.tif 000005
【図４】
2006005671.tif 000006
【図５】
2006005671.tif 000007
【図６】
2006005671.tif 000008
【図７】
2006005671.tif 000009
【図８】
2006005671.tif 000010